(57)【要約】      （修正有）【課題】長い間、より快適に、また衛生的に使用することができる袋体を提供する。【解決手段】略相似形に形成された生地を多数重ねて上方部以外の周辺を縫製して多数の収納室を形成すると共に、収納室の開口部を閉塞する手段として該開口部に紐挿通孔を形成し、該紐挿通孔に紐を挿通して該紐を緊張することにより、該収納室の開口部を閉塞できるように構成した袋体において、前記袋体１は、少なくとも外側生地Ａ，Ａとその内側に配設される内側生地Ｂ，Ｂとによって形成されているとともに、前記外側生地Ａ，Ａと内側生地Ｂ，Ｂの少なくとも一方の生地に抗菌、防臭処理を施してなる袋体。【選択図】図１
0003158286.tif 000002
【実用新案登録請求の範囲】
【請求項１】
略相似形に形成された生地を多数重ねて上方部以外の周辺を縫製して多数の収納室を形成すると共に、該収納室の開口部を閉塞する手段として該開口部に紐挿通孔を形成し、該紐挿通孔に紐を挿通して該紐を緊張することにより、該収納室の開口部を閉塞できるように構成した袋体において、
前記袋体は、少なくとも外側生地Ａ，Ａとその内側に配設される内側生地Ｂ，Ｂとによって形成されているとともに、前記外側生地Ａ,Ａと内側生地Ｂ,Ｂの少なくとも一方の生地に抗菌、防臭処理を施してなることを特徴とする袋体。
【請求項２】
上記袋体の外側生地Ａ,Ａは、メッシュ状の生地を用いてなることを特徴とする請求項１記載の袋体。
【考案の詳細な説明】
【技術分野】
【０００１】
本考案は袋体に関するものであり、特に、１個の袋体内に多数の収納室を設けてなる袋体に関するものである。
【背景技術】
【０００２】
従来の袋体は周知の如く、例えば２枚の生地を重ねて上方部を開口とし、その開口部以外の周辺部を縫製して袋体を形成したものが知られている。また、前記生地は３枚以上重ねて形成したものも公知であり、さらに袋体の口部に紐挿通孔を設けて、該紐挿通孔に紐を挿通して袋体の口部を閉塞するように構成しているものも公知である（例えば、特許文献１参照）。
【先行技術文献】
【特許文献】
【０００３】
【特許文献１】実開平５−９８２４９号公報。
【考案の開示】
【考案が解決しようとする課題】
【０００４】
上述した袋体は、外出時に小物類等を収納し、露出させて持ち歩く機会が多い。このため、長い間使用していると、持ち歩く人の手の汗や体臭、あるいは袋体に入れた小物類等による汚れや臭等が付着し、不快や不衛生になり易いという問題点があった。
【０００５】
そこで、長い間、より快適に、また衛生的に使用することができるようにするために解決すべき技術的課題が生じてくるのであり、本考案はこの課題を解決することを目的とする。
【課題を解決するための手段】
【０００６】
本考案は上記目的を達成するために提案されたものであり、請求項１記載の考案は、略相似形に形成された生地を多数重ねて上方部以外の周辺を縫製して多数の収納室を形成すると共に、該収納室の開口部を閉塞する手段として該開口部に紐挿通孔を形成し、該紐挿通孔に紐を挿通して該紐を緊張することにより、該収納室の開口部を閉塞できるように構成した袋体において、前記袋体は、少なくとも外側生地Ａ，Ａとその内側に配設される内側生地Ｂ，Ｂとによって形成されているとともに、前記外側生地Ａ,Ａと内側生地Ｂ,Ｂの少なくとも一方の生地に抗菌、防臭処理を施してなる袋体を提供する。
【０００７】
この構成によれば、外側生地Ａ,Ａと内側生地Ｂ,Ｂの少なくとも一方の生地に抗菌、防臭処理を施していることで、持ち歩く人の手の汗や体臭、あるいは袋体に入れた物品による汚れや臭、さらには細菌等が付着しにくい。
【０００８】
請求項２記載の考案は、請求項１記載の構成において、上記袋体の外側生地Ａ,Ａは、メッシュ状の生地を用いてなる袋体を提供する。
【０００９】
この構成によれば、外側生地Ａ,Ａをメッシュ状の生地とすることにより、外側の収納室に収納された小物類等を生地の目を通して外側から確認できる。また、生地の大きな目を通して収納室内と外部との通気性が得られる。
【考案の効果】
【００１０】
請求項１記載の考案は、生地に抗菌、防臭処理を施していることで、持ち歩く人の手の汗や体臭、あるいは袋体に入れた物品による汚れや臭等が付着しにくいので、長い間、より快適に、また衛生的に使用することができ、不快の原因になることが防止される。
【００１１】
請求項２記載の考案は、外側の収納室に収納された小物類等を生地の目を通して外側から容易に確認することができるので利便性が向上する。また、生地の大きな目を通して収納室内と外部との通気性が容易に得られるので、通気性を必要とする物品を収納するのに適し、さらに利便性の向上に寄与する。
【図面の簡単な説明】
【００１２】
【図１】本考案の第１実施例として示す袋体の一部切欠斜視図。
【図２】図１の袋体を反転させて作製時の縫製状態を示す一部切欠斜視図。
【図３】図１のＸ−Ｘ線断面図。
【図４】ストッパーの正面図。
【図５】本考案の第２実施例として示す袋体の斜視図。
【考案を実施するための最良の形態】
【００１３】
本考案は、長い間、より快適に、また衛生的に使用することができる袋体を提供するという目的を達成するために、略相似形に形成された生地を多数重ねて上方部以外の周辺を縫製して多数の収納室を形成すると共に、該収納室の開口部を閉塞する手段として該開口部に紐挿通孔を形成し、該紐挿通孔に紐を挿通して該紐を緊張することにより、該収納室の開口部を閉塞できるように構成した袋体において、前記袋体は、少なくとも外側生地Ａ，Ａとその内側に配設される内側生地Ｂ，Ｂとによって形成されているとともに、前記外側生地Ａ,Ａと内側生地Ｂ,Ｂの少なくとも一方の生地に抗菌、防臭処理を施してなることにより実現した。
【実施例】
【００１４】
以下、本考案の袋体について、好適な実施例を添付図面を参照して説明する。なお、この実施例で説明する本考案の袋体は生地Ａ及びＢにより形成されているが、布製、皮製を問わず材質を限定すべきではなく、袋体の大きさも必要に応じて大小様々なものが選択される。また、各実施例の説明の全体を通じて同じ要素には同じ番号を付して説明する。
【００１５】
図１乃至図３は本考案に係る袋体の第１実施例を示すもので、図１は袋体の外観を示す一部切欠斜視図、図２は袋体を反転させて作製時の縫製状態を示す一部切欠斜視図、図３は図１のＸ−Ｘ線断面図である。
【００１６】
同図において、袋体１は、略相似形に形成された外側生地Ａ及び内側生地Ｂを重合させ、両側辺の縁部分と底辺の縁部分が縫製されている。なお、本例では、外側生地Ａは生地の目を通して内部に収納した小物類等を外側から確認する、あるいは収納室内と外部との通気性が得られるようにメッシュ状の生地を使用し、内側生地Ｂ,Ｂはその製造過程において、キトンサン、イオン繊維やヒノキエキス等の抗菌・防臭繊維が生地内に織り込まれてなる、抗菌、防臭処理が施された生地を使用している。また、各生地Ａ，Ａ、Ｂ，Ｂ共に、その上端部に紐挿通孔２，２，３，３が形成されている。
【００１７】
前記内側生地Ｂ，Ｂに設けた紐挿通孔３，３には、上端部一方に紐５ａのそれぞれ両端が開放部３ｂ，３ｂより挿通されて、その端部が他方の開放部３ａ，３ａより引き出されてその両端部を相互に結縛し、さらにストッパー１０によって係止されている。
【００１８】
一方、前記外側生地Ａ，Ａに設けた前記紐挿通孔２，２の両側には、開放部２ａ，２ａ及び２ｂ，２ｂを設け、片方の開放部２ｂ，２ｂから紐４ａの両端をそれぞれ挿通し、その先端部を他方の開放部２ａ，２ａより引き出し、そしてその両端部を相互に結縛する。また、該開放部２ａ，２ａにそれぞれ紐４ｂの両端を挿通し、そして他方の開放部２ｂ，２ｂより引き出してその両端部を相互に結縛している。
【００１９】
また、図３に示す如く、袋体１は内側生地Ｂ，Ｂ間にて中央部位の収納室１２が形成され、さらに、該内側生地Ｂ，Ｂと外側生地Ａ，Ａによって外側部位の収納室１３が形成され、合計３室の収納室が構成される。なお、図１に示されている袋体１の中央部分の二点鎖線を縫製すれば、形成される収納室を倍増させることも可能である。
【００２０】
また、図４に示すストッパー１０は、該外側筒体１０ａの長手方向中心部に設けた摺動自在に嵌挿された押ボタン１０ｃ及び該押ボタン１０ｃを一方へ付勢しているバネ１０ｄとからなる。さらに、該外側筒体１０ａ及び押ボタン１０ｃには一側より他側に向って開穿孔１０ｅ，１０ｅが設けられ、この開穿孔１０ｅ，１０ｅに紐５ａを挿通し、そして前記バネ１０ｄの付勢により前記押ボタン１０ｃの開穿孔１０ｅ，１０ｅの側壁にて該紐５ａを固定するように形成されている。
【００２１】
而して、この第１実施例における袋体は、上述のように構成されているので、内側生地Ｂ，Ｂ間に形成された収納室１２に小物類等を収納した後、内側生地Ｂ，Ｂの開放部３ａ，３ａより引き出されている紐５ａに係止しているストッパー１０の押ボタン１０ｃを押しながら把持し、他方の指で該紐５ａの結縛部を引張することにより内側部位の収納室１２を閉塞することができ、さらに該ストッパー１０によって該閉塞状態を安定させることができる。また、外側生地Ａ，Ａ及び内側生地Ｂ，Ｂ間によって形成された収納室１３，１３には、他の小物を収納した後、外側生地Ａ，Ａの開放部２ａ，２ａ，２ｂ，２ｂより引き出されている紐４ａ，４ｂの結縛部を左右に引張することによって外側部位の収納室１３，１３が容易に閉塞することができる。
【００２２】
反対に、該袋体１を解放しようとする時は、先ず、外側生地Ａ，Ａ及び内側生地Ｂ，Ｂ間によって形成されている外側生地Ａ,Ａの開口部の両端に両手の指を挿入し、そして、左右に引張すれば、外側部位の収納室１３，１３は容易に解放される。
【００２３】
さらに、内側生地Ｂ，Ｂの開放部３ａ，３ａより引き出されている紐５ａに係止しているストッパー１０の押ボタン１０ｃを押しながら該紐５ａの結縛部まで移動し、次に、内側生地Ｂ，Ｂの上端部の開口部の両端に両手の指を挿入して両側に引張することにより、内側部位の収納室１２は容易に解放することができる。
【００２４】
また、外側生地Ａ,Ａにはメッシュ状の生地を使用しているので、外側部位の収納室１３，１３に収納した小物類等をメッシュの目を通して外側から確認する、あるいは収納室内と外部との通気性を得ることができる。さらに、内側生地Ｂ,Ｂには、抗菌、防臭処理が施された生地を使用しているので、持ち歩く人の手の汗や体臭、あるいは袋体に入れた物による汚れや臭、さらには細菌等が付着しにくくなり、長い間、より快適に、また衛生的に使用することができる。
【００２５】
図５は、本考案に係る袋体の第２実施例として示す袋体の斜視図である。同図において、袋体１は略相似形に形成された外側生地Ａ，Ａ及び内側生地Ｂ，Ｂを重合させ、両側辺の縁部分と底辺の縁部分が縫製されている。なお、本例でも、外側生地Ａは生地の目を通して内部に収納した小物類等を外側から確認する、あるいは収納室内と外部との通気性が得られるようにメッシュ状の生地を使用し、内側生地Ｂ,Ｂはその製造過程において、抗菌・防臭繊維が生地内に織り込まれてなる抗菌、防臭処理が施された生地を使用している。また、各生地Ａ，Ａ，Ｂ，Ｂ共にその上端部に紐挿通孔２，２，３，３が形成されている。
【００２６】
前記外側生地Ａ，Ａに設けた紐挿通孔２，２には、上端部一側に紐６ａのそれぞれ両端が開放部２ｂ，２ｂより挿通され、その端部が他方の開放部２ａ，２ａより引き出されて、その両端部を相互に結縛し、さらにストッパー１０によって係止されている。
【００２７】
一方、内側生地Ｂ，Ｂに設けた前記紐挿通孔３，３の両側には、開放部３ａ，３ａ及び３ｂ，３ｂを設け、片方の開放部３ｂ，３ｂから紐７ａの両端を挿通し、そして、他方の開放部３ａ，３ａより引き出してその両端部を相互に結縛する。また、該開放部３ａ，３ａにそれぞれ紐７ｂの両端を挿通し、そして、他方の開放部３ｂ，３ｂより引き出してその両端部を相互に結縛している。
【００２８】
而して、この第２実施例における袋体は、上述のように構成されているので、内側生地Ｂ，Ｂ間によって形成された収納室１２に小物類等を収納した後、内側生地Ｂ，Ｂの開放部３ａ，３ａ，３ｂ，３ｂより引き出されている紐７ａ，７ｂの結縛部を左右に引張することによって、内側生地Ｂ，Ｂ間によって形成された収納室１２を容易に閉塞することができる。さらに、外側生地Ａ，Ａ及び内側生地Ｂ，Ｂ間によって形成された前記収納室１３，１３に小物類等を収納した後、外側生地Ａ，Ａの一側の開放部２ａ，２ａより引き出されている紐６ａに係止しているストッパー１０を把持し、他方の指で該紐６ａの結縛部を引張することによって外側生地Ａ，Ａ及び内側生地Ｂ，Ｂ間に形成された収納室１３，１３を閉塞し、そして該ストッパー１０によって該閉塞状態が安定する。
【００２９】
反対に、該袋体１を解放しようとする時は、先ず外側生地Ａ，Ａの紐挿通孔２，２に挿通している紐６ａに係止しているストッパー１０の押ボタン１０ｃを押しながら該紐６ａの結縛部まで該ストッパー１０を移動させ、次に外側部位の収納室１３，１３の開口部の両端に両手の指を挿入して両側に引張することにより、外側部位の収納室１３，１３は容易に解放することができる。
【００３０】
さらに、内側生地Ｂ，Ｂ間にて形成されている内側部位の収納室１２の開放部の両端部に両手の指を挿入し、そして、両側に引張することにより該収納室１２が容易に解放できる。
【００３１】
また、外側生地Ａ,Ａにはメッシュ状の生地を使用しているので、外側部位の収納室１３，１３に収納した小物類等をメッシュの目を通して外側から確認する、あるいは収納室内と外部との通気性を得ることができる。さらに、内側生地Ｂ,Ｂには、抗菌、防臭処理が施された生地を使用しているので、持ち歩く人の手の汗や体臭、あるいは袋体に入れた物による汚れや臭、さらには細菌等が付着しにくくなり、長い間、より快適に、また衛生的に使用することができる。
【００３２】
なお、上記各実施例では、外側生地Ａ,Ａだけにメッシュ状の生地を使用した場合を説明したが、外側生地Ａ,Ａと内側生地Ｂ,Ｂの両方にメッシュ状の生地を使用する、あるいは外側生地Ａ,Ａと内側生地Ｂ,Ｂの両方にメッシュ状以外の生地を使用するようにしてもよい。
【００３３】
さらに、上記各実施例では、抗菌、防臭処理が施された生地を内側生地Ｂ,Ｂだけ使用し、外側生地Ａ,Ａには使用しない場合を一例として説明したが、外側生地Ａ,Ａと内側生地Ｂ,Ｂの両方に抗菌、防臭処理が施された生地を使用してもよい。
【００３４】
また、本考案は、本考案の精神を逸脱しない限り種々の改変を為すことができ、そして、本考案が該改変されたものに及ぶことは当然である。
【産業上の利用可能性】
【００３５】
本考案は、口部に紐挿通孔を設けて、該紐挿通孔に紐を挿通して袋体の口部を閉塞するように構成した袋体以外の袋体にも応用できる。
【符号の説明】
【００３６】
１      袋体
２,３    紐挿通孔
２ａ,２ｂ,３ａ,３ｂ    開放部
４ａ,４ｂ,５ａ,６ａ,７ａ,７ｂ    紐
１０    ストッパー
１２,１３    収納室
Ａ      外側生地
ｂ      内側生地
【図１】
0003158286.tif 000003
【図２】
0003158286.tif 000004
【図３】
0003158286.tif 000005
【図４】
0003158286.tif 000006
【図５】
0003158286.tif 000007